(57)【要約】【課題】塗装ガンの取り間違いを抑制して塗装色の間違いを防ぐ。【解決手段】静電塗装装置は、作業者の操作に応じて予め設定された色の塗料を高電圧に帯電させて吐出する複数の静電塗装ガンと、複数の静電塗装ガンのそれぞれ対して高電圧を発生させるための駆動電力を供給する制御盤と、を備える。静電塗装ガンは、制御盤から供給された駆動電力の電圧を昇圧して高電圧を発生させる高電圧発生部と、制御盤と高電圧発生部との間に設けられ、制御盤から供給される駆動電力を受けて動作することで、当該静電塗装ガンが現在使用中である旨を示す使用中表示を表示する表示灯と、を有する。制御盤は、複数の静電塗装ガンのうち次に塗装する塗料の色に対応した一の静電塗装ガンについては、当該静電塗装ガンが次に使用予定である旨を示す予告表示として使用中表示とは異なる態様でかつ駆動電力の電圧よりも低い電圧で表示灯を動作させる。【選択図】図２
2019063741.tif 000002
【特許請求の範囲】
【請求項１】
作業者の操作に応じて予め設定された色の塗料を高電圧に帯電させて吐出する複数の静電塗装ガンと、
複数の前記静電塗装ガンのそれぞれ対して前記高電圧を発生させるための駆動電力を供給する制御盤と、を備え、
前記静電塗装ガンは、
前記制御盤から供給された前記駆動電力の電圧を昇圧して前記高電圧を発生させる高電圧発生部と、
前記制御盤と前記高電圧発生部との間に設けられ、前記制御盤から供給される前記駆動電力を受けて動作することで、当該静電塗装ガンが現在使用中である旨を示す使用中表示を表示する表示灯と、を有し、
前記制御盤は、
複数の前記静電塗装ガンのうち次に塗装する塗料の色に対応した一の前記静電塗装ガンについては、当該静電塗装ガンが次に使用予定である旨を示す予告表示として前記使用中表示とは異なる態様でかつ前記駆動電力の電圧よりも低い電圧で前記表示灯を動作させる、
静電塗装装置。
【請求項２】
前記制御盤は、前記予告表示として、前記表示灯を点滅させる、
請求項１に記載の静電塗装装置。
【発明の詳細な説明】
【技術分野】
【０００１】
本発明の実施形態は、静電塗装装置に関する。
【背景技術】
【０００２】
例えば自動車のボディ塗装を行う塗装ライン等においては、大部分の塗装はロボットによって自動で行われるが、部分的な修正等については作業者の手作業いわゆる手吹き塗装によって行われることが一般的である。そして、この手吹き塗装においては、少ない人数の作業者で多数の色に対応するため、一人の作業者が多数の色の塗装を担当することが多い。この場合、作業者が用いる塗装装置は、複数の塗料の色のそれぞれに対応した複数の塗装ガンと、各塗装ガンを引っ掛けるガンラックと、を備えている。そして、作業者は、ガンラックに掛かっている複数の塗装ガンの中から指定の色に対応した一の塗装ガンを選択し持ち替えることで、塗料の色の切り替えを行う。
【０００３】
一般にガンラックには、例えば各塗装ガンに対応した銘板が設けられている。各銘板には、対応する塗装ガンから吐出される塗料の色を表示する情報、例えば塗料の色の名称や識別番号等が記載されている。作業者は、この銘板が示す情報を頼りにして、指定された塗料に対応した塗装ガンを選択する。しかし、一般的に同系色の名称や識別番号等は似ていることが多い。そのため、銘板の情報のみを頼りにしていた従来構成では、例えば同系色の塗装ガンが隣接して配置されている場合等においては、作業者が銘板を読み間違えてしまい、これにより塗装ガンを取り間違えることがあった。そこで、例えば各塗装色に対応した表示灯をガンラックに設けて、選択すべき色の表示灯のみを点灯させることで、作業者に対しその塗装ガンの選択を促す技術が考えられた。
【０００４】
しかしながら、作業者は、塗装ガンを一度手に持ってしまうと、その塗装ガンでの塗装が終了するまで手元や被塗装物を注視する傾向が高い。このため、作業者は、間違った塗装ガンを手に取ってしまった場合であっても、その後にガンラックの表示灯を見て塗装ガンの間違いに気付くことが難しく、実際に塗装を開始して塗料が吐出されるまで塗装ガンの間違いに気付かないことが多かった。
【０００５】
また、例えば清掃時等において、複数の塗装ガンを同時にガンラックから外し、その後、各塗装ガンをガンラックに戻す際に、戻し間違えてしまうことがある。すると、塗装ガンと表示灯との対応関係が崩れてしまい、その結果、作業者が、表示灯の点灯箇所に掛かっていた塗装ガンを選択したとしても、指定された色と異なる色の塗料で塗装してしまうことになる。このため、従来の構成では、ガンラックへの戻し間違いが発生した場合に十分に対応できていなかった。
【先行技術文献】
【特許文献】
【０００６】
【特許文献１】特開平１１−９０２８３号公報
【発明の概要】
【発明が解決しようとする課題】
【０００７】
本発明は上記事情に鑑みてなされたものであり、その目的は、多数の塗装ガンから指定された一の塗装ガンを選択して塗装するものにおいて、塗装ガンの取り間違いを抑制して塗装色の間違いを防ぐことができる静電塗装装置を提供することにある。
【課題を解決するための手段】
【０００８】
静電塗装装置は、作業者の操作に応じて予め設定された色の塗料を高電圧に帯電させて吐出する複数の静電塗装ガンと、複数の前記静電塗装ガンのそれぞれ対して前記高電圧を発生させるための駆動電力を供給する制御盤と、を備える。前記静電塗装ガンは、前記制御盤から供給された前記駆動電力の電圧を昇圧して前記高電圧を発生させる高電圧発生部と、前記制御盤と前記高電圧発生部との間に設けられ、前記制御盤から供給される前記駆動電力を受けて動作することで、当該静電塗装ガンが現在使用中である旨を示す使用中表示を表示する表示灯と、を有している。前記制御盤は、複数の前記静電塗装ガンのうち次に塗装する塗料の色に対応した一の前記静電塗装ガンについては、当該静電塗装ガンが次に使用予定である旨を示す予告表示として前記使用中表示とは異なる態様でかつ前記駆動電力の電圧よりも低い電圧で前記表示灯を動作させる。
【図面の簡単な説明】
【０００９】
【図１】一実施形態による塗装装置の使用態様の一例を概略的に示す図
【図２】一実施形態による塗装装置の構成を概略的に示す図
【図３】一実施形態による塗装装置について、表示灯の表示態様の一例を示す図
【発明を実施するための形態】
【００１０】
以下、一実施形態について図面を参照しながら説明する。
まず、図１を参照して、静電塗装装置１０の全体構成について説明する。図１に示す静電塗装装置１０は、被塗装物９０を手吹きにより手作業で塗装する塗装装置である。本実施形態の場合、静電塗装装置１０は、例えば塗料を−１０ｋＶ〜−１００Ｖ程度の高電圧に帯電させて霧状に噴霧する静電塗装装置である。なお、静電塗装装置１０は、静電塗装装置に限られない。また、静電塗装装置１０で使用する塗料の種類は、液体であるか粉体であるかは問わない。
【００１１】
図１に示すように、静電塗装装置１０は、複数の静電塗装ガン２０、ガンラック３０、及び制御盤４０を備えている。なお、図１の例において、静電塗装装置１０は、４台の静電塗装ガン２０を備える構成であるが、静電塗装ガン２０の具体的な台数はこの例のものに限られない。例えば自動車の手吹き塗装のラインの場合、静電塗装装置１０は、１０台から２０台程度の静電塗装ガン２０を備えることもある。
【００１２】
各静電塗装ガン２０は、塗料ホース５１を介して、それぞれ異なる色の塗料の供給源に接続されている。これにより、各静電塗装ガン２０には、塗料ホース５１を介してそれぞれ異なる色の塗料が供給される。また、各静電塗装ガン２０は、エアホース５２を介して、エアコンプレッサー等のエア供給源に接続されている。塗料の吐出に必要な圧縮エアは、エアホース５２を介して各静電塗装ガン２０に供給される。
【００１３】
図１に示すように、各静電塗装ガン２０は、ガン本体２１、トリガー２２、及びハンガー部２３を有している。ガン本体２１は、例えば電気的絶縁性を有するポリアセタール樹脂やフッ素樹脂などの合成樹脂により構成されている。作業者は、トリガー２２を操作することで、予めその静電塗装ガン２０に設定された色の塗料を、ガン本体２１の先端部から吐出させることができる。ハンガー部２３は、例えば一部が下方へ開放されたＵ字形状に形成されている。
【００１４】
ガンラック３０は、複数の銘板３１及び複数のフック部３２を有している。銘板３１及びフック部３２の数は、静電塗装ガン２０の台数に等しく、各銘板３１及びフック部３２は、各静電塗装ガン２０に対応している。各銘板３１には、それぞれ対応する静電塗装ガン２０の塗料の色を示す情報として例えば塗料の色の名称や記号等が記載されている。各フック部３２は、各静電塗装ガン２０のハンガー部２３を引っ掛けることが可能な形状に構成されている。作業者は、対応するフック部３２に静電塗装ガン２０のハンガー部２３を引っ掛けることで、静電塗装ガン２０をガンラック３０に配置する。
【００１５】
各静電塗装ガン２０は、それぞれ接続ケーブル５３を介して制御盤４０に接続されている。制御盤４０は、各静電塗装ガン２０に対して駆動電力を供給する。なお、本実施形態において、駆動電力とは、各静電塗装ガン２０から静電塗装に用いる高電圧を出力させるために必要な電力を意味する。制御盤４０は、上位装置８０に接続されている。上位装置８０は、例えばコンベア９１上を流れる被塗装物９０を管理するものであり、被塗装物９０の塗装色を指示する指示信号を、制御盤４０に送信する。制御盤４０は、指示信号を受信すると、その指示信号に対応した静電塗装ガン２０に対して駆動電力を供給し、作業者のトリガー２２の操作に基づく静電塗装を可能にする。
【００１６】
次に、図２も参照して、静電塗装ガン２０及び制御盤４０の具体的構成について説明する。なお、図２は、制御盤４０に１台の静電塗装ガン２０が接続された図となっているが、実際は、１台の制御盤４０には複数台の静電塗装ガン２０が接続されている。静電塗装ガン２０は、ガン本体２１、トリガー２２、ハンガー部２３の他、塗料バルブ２４、エアバルブ２５、ノズル２６、高電圧発生部２７、高電圧出力部２８、及び表示灯２９などを有している。
【００１７】
塗料バルブ２４及びエアバルブ２５は、トリガー２２の引き操作によって開放される。塗料バルブ２４は、塗料ホース５１を介して塗料供給源としての塗料ポンプ５４及び塗料タンク５５に接続されている。塗料タンク５５内の塗料は、塗料ポンプ５４によって塗料ホース５１を通り塗料バルブ２４へ供給される。塗料ホース５１は、電気絶縁性を有する例えば合成樹脂製のホースなどで構成されている。エアバルブ２５は、エアホース５２を介してコンプレッサ５６に接続されている。コンプレッサ５６で生じた圧縮エアは、エアホース５２を通ってエアバルブ２５へ供給される。
【００１８】
ノズル２６は、ガン本体２１の先端部に設けられている。ノズル２６の内部には、詳細は図示しないが、塗料供給口や、霧化エア孔及びパターン形成エア孔が設けられている。塗料バルブ２４の出力側は、ノズル２６の塗料供給口に接続されている。エアバルブ２５の出力側は、ノズル２６の霧化エア孔及びパターン形成エア孔に接続されている。トリガー２２が引き操作されて塗料バルブ２４及びエアバルブ２５が解放されると、ノズル２６には、塗料バルブ２４を介して塗料が供給されるとともに、エアバルブ２５を介して圧縮空気が供給される。ノズル２６に供給された塗料は、霧化エア孔から吐出される圧縮空気によって微粒子化されるとともに、パターン形成エア孔から吐出される圧縮空気によって塗装に適した形状つまり塗装パターンに形成されて噴霧される。
【００１９】
高電圧発生部２７は、いわゆるカスケードと称され、入力される交流電圧に比例した直流の高電圧を出力する。本実施形態において、高電圧発生部２７は、制御盤４０から供給された駆動電力の電圧を５０００倍程度に昇圧し、これにより高電圧を出力する。静電塗装ガン２０と制御盤４０とを接続する接続ケーブル５３は、動力線５３１及び電流検出線５３２を含んでいる。動力線５３１は、静電塗装ガン２０に対して駆動電力としての交流電圧を供給するためのものである。電流検出線５３２は、高電圧発生部２７に流れる電流を検出するためのものである。接続ケーブル５３は、その外周側が例えば電気絶縁性を有する保護管に覆われて保護されている。
【００２０】
高電圧発生部２７は、入力トランス２７１、倍電圧整流回路２７２、出力抵抗２７３を有している。入力トランス２７１は、制御盤４０と倍電圧整流回路２７２との間を電気的に絶縁し、制御盤４０から供給される交流電圧を倍電圧整流回路２７２へ出力する。倍電圧整流回路２７２は、例えばコッククロフト・ウォルトン型の昇圧整流回路で構成されている。倍電圧整流回路２７２は、入力トランス２７１から入力された交流電圧を昇圧及び整流し、直流の高電圧に変換する。
【００２１】
倍電圧整流回路２７２から出力された直流の高電圧は、出力抵抗２７３を介して高電圧出力部２８に供給され、高電圧出力部２８から、例えば−１０ｋＶ〜−１００ｋＶ程度の直流の出力電圧として出力される。高電圧出力部２８は、例えばピン形状の金属電極で構成され、ノズル２６の近傍又はノズル２６の内部に設けられている。そのため、ノズル２６から噴霧された塗料の微粒子には、高電圧出力部２８から出力される直流の出力電圧が印加される。
【００２２】
倍電圧整流回路２７２は、回路内の図示しないダイオードの向きを変えることにより、出力電圧の極性を接地電位に対して正または負のいずれかに設定することができる。本実施形態の場合、倍電圧整流回路２７２の出力電圧の極性は、接地電位に対して負になるように構成されている。したがって、微粒子化された塗料は負の高電圧に帯電される。
【００２３】
表示灯２９は、ガン本体２１において、制御盤４０の電源部４２と高電圧発生部２７との間に設けられている。表示灯２９は、例えばＬＥＤや電球等の光源で構成されており、電源部４２からの電力供給を受けて動作する。表示灯２９は、作業者がガン本体２１を手に持ったときにその作業者から視認可能な位置に設けられている。例えば、表示灯２９は、ガン本体２１においてノズル２６とは反対側に設けられている。
【００２４】
本実施形態の場合、表示灯２９は、例えば２つのＬＥＤ素子２９１、２９２を１つのケース内にパッケージして構成されている。２つのＬＥＤ素子２９１、２９２は、互いに逆極となるように並列に配置されている。表示灯２９の一方の極は、２つの電力線５３１のうちの一方に接続され、表示灯２９の他方の極は、抵抗２９３を介して２つの電力線５３１のうちの他方に接続されている。
【００２５】
静電塗装ガン２０を用いて静電塗装を行う際、制御盤４０は、高電圧発生部２７に対して、駆動電力として例えば２Ｖから２０Ｖ程度の任意の電圧でかつ周波数が２０ｋＨｚ程度の交流パルス電圧を印加する。すると、その交流パルス電圧が表示灯２９にも印加され、これにより表示灯２９の各ＬＥＤ素子２９１、２９２が交互に発光する。このとき、ＬＥＤ素子２９１、２９２の発光の切り替わりは、作業者が認識できない程早く行われる。そのため、作業者には、表示灯２９が点滅ではなく点灯しているように見える。
【００２６】
図２に示すように、制御盤４０は、電流検出部４１、電源部４２、制御部４３、エアフロースイッチ４４、及び操作パネル４５を有している。電流検出部４１は、電流検出線５３３を介して、高電圧発生部２７に接続されている。電流検出部４１は、高電圧発生部２７に流れる電流の大きさを検出し、その検出結果を制御部４３に与える。
【００２７】
操作パネル４５は、複数のスイッチ類４５１及び表示器４５２を有している。作業者は、スイッチ類４５１を操作することで、各種設定を行う。また、表示器４５２には、設定内容や現在の動作状況等が表示される。また、制御盤４０は、図示しないブザーなどの報知器を有していてもよい。
【００２８】
電源部４２は、動力線５３１を介して、高電圧発生部２７に接続されている。電源部４２は、詳細は図示しないが、スイッチング素子や出力トランス、直流電源部、及び発振回路を有している。電源部４２は、高電圧発生部２７に対して、駆動電圧として例えば２Ｖから２０Ｖ程度の任意の電圧でかつ周波数が２０ｋＨｚ程度の交流パルス電圧を供給する。
【００２９】
制御部４３は、図示しないＣＰＵや、ＲＯＭ、ＲＡＭなど有したマイクロコンピュータにより構成されている。制御部４３は、電源部４２の出力を制御することで、静電塗装ガン２０の高電圧発生部２７から出力される出力電圧の値や、その出力電圧の出力及び停止を制御することができる。
【００３０】
エアフロースイッチ４４は、エアバルブ２５とコンプレッサ５６とを接続するエアホース５２の途中部分に設けられている。エアフロースイッチ４４は、エアホース５２にエアが流れると動作して制御部４３へ信号を出力する。その際にエアフロースイッチ４４が出力する信号は、トリガー検出信号と称される。
【００３１】
制御部４３は、正常動作時つまり高電圧発生部２７に過電流異常が生じていない場合、エアフロースイッチ４４からトリガー検出信号が入力されると、電源部４２から駆動電力としての交流パルス電圧を出力させる。これにより、高電圧発生部２７から静電塗装用の高圧の出力電圧が出力するとともに、電源部４２から供給される交流パルス電圧を受けて表示灯２９が点灯する。
【００３２】
つまり、電源部４２から高電圧発生部２７に駆動電力が供給され、これにより高電圧発生部２７から高電圧が出力されると、その高電圧発生部２７からの高電圧の出力に連動して表示灯２９が点灯する。したがって、表示灯２９が点灯している状態は、その静電塗装ガン２０が現在塗装のために使用されている状態、すなわち高電圧に帯電させた塗料を吐出している最中であること意味する。本実施形態では、静電塗装のための駆動電力を受けて表示灯２９が点灯している状態を、使用中表示と称する。
【００３３】
また、制御部４３は、電源部４２からの出力を制御して、表示灯２９を使用中表示とは異なる態様で動作させることにより、予告表示も表示することができる。予告表示は、例えば表示灯２９が点滅している状態であり、その静電塗装ガン２０が次の塗装つまり次の被塗装物９０を塗装する際に使用するものである旨を示す表示である。この場合、制御部４３は、電源部４２から出力される交流パルス電圧の周期を制御することにより、表示灯２９の点灯及び点滅を制御することができる。
【００３４】
すなわち、制御部４３は、電源部４２から出力する交流パルス電圧の周期を、高電圧発生部２７を動作させるための駆動電力つまり、高電圧発生部２７から高電圧を出力させる際に必要な交流パルス電圧よりも遅くすることで、表示灯２９を点滅させることができる。このように、表示灯２９は、その点灯状態を変化させることによって、例えば図３に示すように、作業者に対し、その静電塗装ガン２０が現在使用中であるか次に使用されるものであるかの情報を提示することができる。この場合、制御部４３は、電源部４２から出力する交流パルス電圧を例えば２Ｖ未満の値に設定し、駆動電力の電圧よりも低い電圧で表示灯２９を点滅動作させる。
【００３５】
制御部４３は、上位装置８０と通信可能に接続されている。上位装置８０は、制御部４３に対して、次の被塗装物９０の塗装色を指示する指示信号を送信する。制御部４３は、上位装置８０から指示信号を受信すると、その指示信号に基づいて、制御盤４０に接続された各静電塗装ガン２０のうち次に塗装する塗料の色に対応した一の静電塗装ガン２０を特定する。そして、制御部４３は、各静電塗装ガン２０のうち特定した一の静電塗装ガン２０の表示灯２９を点滅させることで、次に使用する予定の静電塗装ガン２０に予告表示を表示させる。
【００３６】
なお、現在使用している静電塗装ガン２０と次に使用する予定の静電塗装ガン２０とが同一である場合、本実施形態では、制御部４３は、予告表示よりも使用中表示を優先させる。すなわち、上位装置８０から受信した指示信号に基づいて特定した一の静電塗装ガン２０が、現在使用中の静電塗装ガン２０である場合、制御部４３は、その使用中の静電塗装ガン２０について、作業者のトリガー２２が継続している間は表示灯２９を使用中表示として点灯させる。そして、制御部４３は、作業者のトリガー２２の操作が解除されてその塗装作業が終わった後に、予告表示として表示灯２９を点滅させる。
【００３７】
ちなみに、表示灯２９が消灯している状態は、その静電塗装ガン２０が現在使用されておらず、かつ、次の塗装でも使用される予定が無いことを意味する。本実施形態において、表示灯２９の点灯、点滅、及び消灯は、作業者の視覚による認識を基準としている。すなわち、例えば表示灯２９の点灯状態には、作業者が点滅であると認識できない程高速で表示灯２９を点滅させている状態も含まれる。
【００３８】
このように、本実施形態の静電塗装装置１０は、複数の静電塗装ガン２０と、制御盤４０と、を備える。静電塗装ガン２０は、作業者の操作に応じて予め設定された色の塗料を高電圧に帯電させて吐出することができる。静電塗装ガン２０は、高電圧発生部２７と、表示灯２９と、を有する。高電圧発生部２７は、制御盤４０から供給された駆動電力の電圧を昇圧して高電圧を発生させる。表示灯２９は、制御盤４０と高電圧発生部２７との間に設けられ、制御盤４０から供給される駆動電力を受けて動作することで、当該静電塗装ガン２０が現在使用中である旨を示す使用中表示を表示する。そして、制御盤４０は、複数の静電塗装ガン２０のうち次に塗装する塗料の色に対応した一の静電塗装ガン２０については、当該静電塗装ガン２０が次に使用予定である旨を示す予告表示として使用中表示とは異なる態様で表示灯２９を動作させる。
【００３９】
この静電塗装装置１０によれば、作業者は、ガンラック３０に掛かっている複数の静電塗装ガン２０の中から、予告表示が表示されている静電塗装ガン２０、つまり表示灯２９が点滅している静電塗装ガン２０を選択し、次の塗装作業に使用することができる。そのため、次に使用する静電塗装ガン２０を適切に選択することができる。
【００４０】
また、本実施形態によれば、表示灯２９は、静電塗装ガン２０に設けられている。そのため、作業者は、仮に間違った静電塗装ガン２０を手に取ってしまった場合であっても、その手に取った静電塗装ガン２０の表示灯２９の表示状態を見ることで、つまり自己の手元にある静電塗装ガン２０の表示灯２９が点滅しているか否かを見ることで、手に取った静電塗装ガン２０が正しいものであるかどうかを容易に把握することができる。そのため、作業者は、仮に間違った静電塗装ガン２０を手に取ってしまった場合であっても、塗装前の段階で気付き易くなり、その結果、塗装色の間違いをより確実に抑制することができる。
【００４１】
更に、例えば清掃時等において、各静電塗装ガン２０を同時にガンラック３０から外した場合、その後、作業者の戻し間違いによって、各静電塗装ガン２０がガンラック３０上の正しい位置に戻されない可能性がある。すなわち、静電塗装ガン２０を同時にガンラック３０から外し、その後、各静電塗装ガン２０をガンラック３０に戻した場合に、各静電塗装ガン２０の位置が入れ違ってしまうことがある。すると、銘板３１に記載されている塗料の色と、実際に静電塗装ガン２０から吐出される塗料の色とが異なってしまう。その結果、銘板３１の記載を信じた作業者がそのまま静電塗装ガン２０を使用すると、間違った色で被塗装物９０を塗装してしまうことになる。
【００４２】
一方、本実施形態によれば、表示灯２９は、上述したように静電塗装ガン２０に設けられている。このため、静電塗装ガン２０を戻し間違えて銘板３１に記載されている塗料の色と実際に静電塗装ガン２０から吐出される塗料の色とが異なってしまい、その結果、銘板３１の記載を信じた作業者が間違った静電塗装ガン２０を手に取ってしまった場合であっても、手にした静電塗装ガン２０の表示灯２９が予告表示で表示されていなければ、つまり表示灯２９が点滅していなければ、作業者は、その静電塗装ガン２０が次に使用されるものでないものと容易に気付くことができる。その結果、本実施形態の静電塗装装置１０によれば、塗装色の間違いをより確実に抑制することができる。
【００４３】
また、制御盤４０は、各静電塗装ガン２０のうち作業者の操作を受けて塗料を吐出している一の静電塗装ガン２０の表示灯２９に、現在塗装中である旨を示す使用中表示を、予告表示とは異なる態様で表示させる。これによれば、作業者は、表示灯２９に表示されている使用中表示を見ることで、例えば静電塗装ガン２０から吐出されている塗料に高電圧が印加されていることを知ることができる。その結果、作業者は、より安全に配慮するようになり、作業の安全性が高まる。また、予告表示だけでなく使用中表示も表示灯２９に表示させることにより、表示灯２９の機能を有効活用することができる。つまり、表示灯２９は、使用中表示を表示するための表示灯と、予告表示を表示するための表示灯と、を兼用している。これにより、予告表示と使用中表示を表示する表示灯をそれぞれ別に設けた場合に比べて、部品点数が削減でき、その結果、静電塗装ガン２０の製造コストも低減することができる。
【００４４】
ここで、予告表示は、作業者がトリガー２２を操作していない状態、つまり作業者が塗装を行う意思が無い状態、換言すれば高電圧発生部２７から高電圧を出力する意思がない状態のときに表示されるものである。そのため、予告表示をするために表示灯２９を動作させる際に、駆動電力の電圧と同等の電圧つまり例えば２Ｖ〜２０Ｖ程度の電圧を電源部４２から出力してしまうと、作業者が意図していない状態で高電圧発生部２７から高電圧が発生してしまうことになり、安全性が低下する可能性がある。
【００４５】
そこで、本実施形態において、制御盤４０は、予告表示を表示させる際には駆動電力の電圧よりも低い電圧、例えば２Ｖ未満の電圧を電源部４２から出力させて表示灯２９を動作させる。これによれば、予告表示をするために表示灯２９を動作させる際に、作業者の意図しないときに高電圧発生部２７から高電圧が発生してしまうことが抑制でき、その結果、安全性の低下を抑制することができる。
【００４６】
また、表示灯２９は、使用中表示として点灯するとともに、制御盤４０は、予告表示として、表示灯２９を点滅させる。これによれば、使用中表示における点灯状態と、予告表示における点滅状態とは、明らかに動作態様が異なるため、作業者は、表示灯２９の表示が使用中表示であるか予告表示であるかを、一見して把握し易くなる。その結果、使用者による静電塗装ガン２０の取り間違いを更に効果的に抑制することができ、その結果、塗装色の間違いを更に確実に抑制することができる。
【００４７】
なお、各実施形態は、上記したかつ図面に示した実施形態にのみ限定されるものではなく、発明の要旨を逸脱しない範囲で適宜変更して実施し得る。
【符号の説明】
【００４８】
図面中、１０は静電塗装装置、２０は静電塗装ガン、２７は高電圧発生部、２９は表示灯、を示す。
【図１】
2019063741.tif 000003
【図２】
2019063741.tif 000004
【図３】
2019063741.tif 000005